(57)【要約】【課題】軽量化を図る。【解決手段】床パネル１０は、パネル本体２０を有し、パネル本体２０は、パーチクルボード２２と、パーチクルボード２２の上面を覆う上側パネル部２４と、パーチクルボード２２の下面を覆う下側パネル部２６と、を含んでいる。そして、上側パネル部２４及び下側パネル部２６が、スチール製の板材によって構成されている。また、パーチクルボード２２の四隅には、面取りされた面取面２２Ａが形成されている。そして、支持脚に支持固定されるコーナー部材３０が、パーチクルボード２２の面取面２２Ａに設けられて、面取面２２Ａから第１方向一方側へ突出している。すなわち、支持脚に固定支持されるコーナー部材３０が、パネル本体２０とは別部材によって構成されている。これにより、床パネル１０の軽量化を図ることができる。【選択図】図６
2020186586.tif 000002
【特許請求の範囲】
【請求項１】
矩形板状に形成され、面取りされた面取面を四隅の角部に有するパーチクルボードと、
金属板によって構成され、前記パーチクルボードの上面を覆う上側パネル部と、
金属板によって構成され、前記パーチクルボードの上面を覆う下側パネル部と、
前記パーチクルボードの前記面取面に設けられ、平面視で前記面取面に対して直交する方向へ突出され、支持脚によって支持されるコーナー部材と、
を備えた床パネル。
【請求項２】
前記コーナー部材が、前記パーチクルボードとは異なる素材によって構成されている請求項１に記載の床パネル。
【請求項３】
前記コーナー部材が、繊維強化プラスチックによって構成されている請求項１又は請求項２に記載の床パネル。
【請求項４】
前記パーチクルボードが、ＪＩＳ  Ａ  ５９０８に規定されている１３Ｕタイプのパーチクルボードによって構成されている請求項１〜請求項３の何れか１項に記載の床パネル。
【請求項５】
前記コーナー部材の外周部には、平面視で前記面取面に対して直交する方向へ開放され且つ前記支持脚の固定部を露出させるための切欠部が形成されている請求項１〜請求項４の何れか１項に記載の床パネル。
【請求項６】
前記コーナー部材の下面には、前記支持脚の位置決め部の一部を収容する位置決め収容部が形成されている請求項１〜請求項５の何れか１項に記載の床パネル。
【請求項７】
前記面取面には、前記面取面に対して直交する方向へ開放された固定溝が形成され、
前記コーナー部材には、前記固定溝内に嵌入された固定片が形成されており、前記固定片の上面及び下面には、上側前記固定溝の内周面に当接された固定リブが形成されている請求項１〜請求項６の何れか１項に記載の床パネル。
【発明の詳細な説明】
【技術分野】
【０００１】
本発明は、床パネルに関する。
【背景技術】
【０００２】
下記特許文献１に記載のフリーアクセスフロア用床パネルは、上面板及び底面板を含んで構成されており、上面板及び底面板は鋼板（スチール板）によって構成されている。また、床パネルの外周部には、フランジ部が形成されており、フランジ部では、上面板の外周部を１８０度折り曲げて、底面板の外周部に接合している。また、フランジ部における床パネルの四隅の角部を構成する部分が、コーナーフランジ部として構成されている。そして、コーナーフランジ部が、支持脚に載置されて、支持脚によって支持されている。
【０００３】
また、床パネルでは、例えば、防音性能を向上するために、上面板と底面板との間にパーチクルボードを挟み込んだ構造をしたものもある。
【先行技術文献】
【特許文献】
【０００４】
【特許文献１】特開２００５−１７９９７１号公報
【発明の概要】
【発明が解決しようとする課題】
【０００５】
ところで、上記フリーアクセスフロア用床パネルにおける製造では、一枚のスチール板にプレス加工を施して、上面板もしくは下面板を三次元的な形状に成形する。ここで、上記フリーアクセスフロア用パネルの軽量化を目的として、上面板及び底面板の板厚を薄くした場合には、上面板及び底面板の板厚が薄いため、プレス加工時に板材に割れや裂け等の成形不良が発生することがある。このため、上面板や下面板の板厚を薄くすることで軽量化を図ろうとしても、板厚を薄くするのに限界があり、フリーアクセスフロア用床パネルの軽量化にも限界がある。
【０００６】
本発明は、上記事実を考慮して、軽量化を図ることができる床パネルを提供することを目的とする。
【課題を解決するための手段】
【０００７】
本発明の１又はそれ以上の実施形態は、矩形板状に形成され、面取りされた面取面を四隅の角部に有するパーチクルボードと、金属板によって構成され、前記パーチクルボードの上面を覆う上側パネル部と、金属板によって構成され、前記パーチクルボードの上面を覆う下側パネル部と、前記パーチクルボードの前記面取面に設けられ、平面視で前記面取面に対して直交する方向へ突出され、支持脚によって支持されるコーナー部材と、を備えた床パネルである。
【０００８】
本発明の１又はそれ以上の実施形態は、前記コーナー部材が、前記パーチクルボードとは異なる素材によって構成されている床パネルである。
【０００９】
本発明の１又はそれ以上の実施形態は、前記コーナー部材が、繊維強化プラスチックによって構成されている床パネルである。
【００１０】
本発明の１又はそれ以上の実施形態は、前記パーチクルボードが、ＪＩＳ  Ａ  ５９０８に規定されている１３Ｕタイプのパーチクルボードによって構成されている床パネルである。
【００１１】
本発明の１又はそれ以上の実施形態は、前記コーナー部材の外周部には、平面視で前記面取面に対して直交する方向へ開放され且つ前記支持脚の固定部を露出させるための切欠部が形成されている床パネルである。
【００１２】
本発明の１又はそれ以上の実施形態は、前記コーナー部材の下面には、前記支持脚の位置決め部の一部を収容する位置決め収容部が形成されている床パネルである。
【００１３】
本発明の１又はそれ以上の実施形態は、前記面取面には、前記面取面に対して直交する方向へ開放された固定溝が形成され、前記コーナー部材には、前記固定溝内に嵌入された固定片が形成されており、前記固定片の上面及び下面には、上側前記固定溝の内周面に当接された固定リブが形成されている床パネルである。
【発明の効果】
【００１４】
上記構成の床パネルによれば、軽量化を図ることができる。
【図面の簡単な説明】
【００１５】
【図１】第１の実施の形態に係る床パネルが適用されたフリーアクセスフロアを示す上側から見た平面図である。
【図２】図１に示されるフリーアクセスフロアを示す側面図である。
【図３】図２に示される支持脚を分解した分解斜視図である。
【図４】図２に示される床パネルのコーナー部材が支持脚によって支持固定された状態を示す断面図（図２の４−４線拡大断面図）である。
【図５】図１に示される床パネルの平面図である。
【図６】図５に示される床パネルの左前角部を示す第２方向一方側から見た断面図（図５の６−６線拡大断面図）である。
【図７】図５に示される床パネルの前側の外周部を示す右側から見た断面図（図５の７−７線拡大断面図）である。
【図８】図５に示されるコーナー部材のパーチクルボードへの固定前の状態を示す斜視図である。
【図９】（Ａ）は、図８に示されるコーナー部材の平面図であり、（Ｂ）は、（Ａ）のコーナー部材の下側から見た裏面図である。
【図１０】図９に示されるコーナー部材の下方から見た斜視図である。
【図１１】第２の実施の形態に係る床パネルの平面図である。
【図１２】（Ａ）は、図１１に示される床パネルのカバー部材の周辺を拡大して示す平面図であり、（Ｂ）は、（Ａ）の床パネルのカバー部材の周辺を下側から見た裏面図である。
【図１３】図１２（Ａ）に示されるカバー部材及びカバープレートをパーチクルボードから取外した状態で示す分解斜視図である。
【図１４】（Ａ）は、図１２（Ａ）のカバー部材の固定状態を示す前側から見た縦断面（図１２（Ａ）の１４Ａ−１４Ａ線断面図）であり、（Ｂ）は、図１２（Ａ）のカバー部材の固定状態を示す右側から見た縦断面（図１２（Ａ）の１４Ｂ−１４Ｂ線断面図）である。
【図１５】（Ａ）は、図１２（Ａ）に示されるカバー部材の全体を示す平面図であり、（Ｂ）は、図１２（Ｂ）に示されるカバー部材の全体を示す裏面図である。
【発明を実施するための形態】
【００１６】
（第１の実施の形態）
以下、図１〜図１０を用いて、第１の実施の形態に係る床パネル１０について説明する。なお、図面において適宜示される矢印ＵＰ、矢印ＦＲ、矢印ＲＨは、それぞれ床パネル１０の上側、前側、右側を示している。そして、以下の説明において、上下、前後、左右の方向を用いて説明するときは、特に断りのない限り、床パネル１０の上下方向、前後方向、左右方向を示すものとする。
【００１７】
図５に示されるように、床パネル１０は、全体として上下方向を板厚方向とした略矩形板状に形成されて、フリーアクセスフロア用の床パネルとして構成されている。すなわち、図１及び図２に示されるように、複数の床パネル１０が前後方向及び左右方向に並んで配置されて、フリーアクセスフロアの一部を構成している。そして、フリーアクセスフロアでは、各々の床パネル１０の四隅の角部が、建物のスラブ（床）に載置された支持脚４０によって固定支持されている。以下、初めに、床パネル１０の構成について説明し、次いで、床パネル１０を支持するための支持脚４０の構成について説明する。
【００１８】
（床パネル１０について）
図３、図５、及び図６に示されるように、床パネル１０は、上下方向を板厚方向とした略矩形板状のパネル本体２０と、パネル本体２０の四隅の角部に設けられた４箇所のコーナー部材３０と、を含んで構成されている。
【００１９】
パネル本体２０は、パーチクルボード２２と、上側パネル部２４と、下側パネル部２６と、を含んで構成されており、パーチクルボード２２が、上側パネル部２４と下側パネル部２６とによって上下に挟み込まれている。
【００２０】
パーチクルボード２２は、ＪＩＳ  Ａ  ５９０８に規定された１３Ｕタイプ（曲げ強さが１３Ｎ／ｍｍ２以上であり、密度が０．４（ｇ／ｃｍ３）以上０．９（ｇ／ｃｍ３）未満）のパーチクルボードとして構成されている。また、パーチクルボード２２は、上下方向を板厚方向とした略矩形板状に形成されている。パーチクルボード２２の木口（側面）には、樹脂テープ等によって構成された封止部２８（図６〜図８参照）が設けられており、封止部２８によってパーチクルボード２２の木口（側面）が封止されている。なお、パーチクルボード２２の木口（側面）を封止する方法はこれに限らず、例えば、アウトサート成形等によってパーチクルボード２２の木口（側面）を樹脂によって封止してもよい。
【００２１】
図８に示されるように、パーチクルボード２２の四隅の角部には、面取りされた面取面２２Ａが形成されている。面取面２２Ａは、平面視で、パーチクルボード２２の側面に対して略４５度に傾斜している。そして、以下の説明では、平面視で、面取面２２Ａに対して直交する方向を第１方向（図８の矢印Ａ方向及び矢印Ｂ方向参照）と称し、面取面２２Ａに沿う方向（すなわち、平面視で第１方向に対して直交する方向）を第２方向（図８の矢印Ｃ方向及び矢印Ｄ方向参照）と称する。
【００２２】
面取面２２Ａの上下方向中間部には、後述するコーナー部材３０を固定するための固定溝２２Ｂが形成されている。固定溝２２Ｂは、第１方向一方側（図８の矢印Ａ方向側であり、パーチクルボード２２の外方側）へ開放された凹状に形成されると共に、第２方向に貫通している。
【００２３】
図３、図５、及び図６に示されるように、上側パネル部２４は、スチール製の板材によって構成され、プレス加工によって、上下方向を板厚方向とする略矩形板状に形成されている。また、上側パネル部２４の板厚は、０．３ｍｍ以下（本実施の形態では、０．２ｍｍ）に設定されている。そして、上側パネル部２４がパーチクルボード２２の上側に隣接して配置されて、パーチクルボード２２の上面を覆っている。また、上側パネル部２４は、接着剤等によってパーチクルボード２２に接合されている。
【００２４】
上側パネル部２４の外周部は、下方側へ折り曲げられた上側パネルサイド部２４Ａとして構成されており、上側パネルサイド部２４Ａは、パーチクルボード２２の面取面２２Ａを除く側面を覆っている。換言すると、上側パネル部２４の四隅の角部には、パーチクルボード２２の面取面２２Ａに対応した面取部２４Ｂ（図６参照）が形成されている。図７に示されるように、上側パネルサイド部２４Ａの上下方向中間部は、略クランク状に屈曲されて、パーチクルボード２２の内方側へ一段下がっている。また、上側パネルサイド部２４Ａの下端部は、パーチクルボード２２の外側且つ上側へ屈曲されて、１８０度に折り返されている。なお、パーチクルボード２２の側面の下部は、上側パネルサイド部２４Ａの形状に対応して、パーチクルボード２２の内側へ一段下がっている。
【００２５】
下側パネル部２６は、上側パネル部２４と同様に、スチール製の板材によって構成され、プレス加工によって、上下方向を板厚方向とする略矩形板状に形成されている。また、下側パネル部２６の板厚は、上側パネル部２４と同様に、０．３ｍｍ以下（本実施の形態では、０．２ｍｍ）に設定されている。そして、下側パネル部２６がパーチクルボード２２の下側に隣接して配置されて、パーチクルボード２２の下面を覆っている。また、下側パネル部２６は、接着剤等によってパーチクルボード２２に接合されている。
【００２６】
下側パネル部２６の外周部には、上側パネル部２４の上側パネルサイド部２４Ａに対応した下側パネルサイド部２６Ａが形成されており、下側パネルサイド部２６Ａは、上方側へ折り曲げられている。換言すると、下側パネル部２６の四隅の角部には、パーチクルボード２２の面取面２２Ａに対応した面取部２６Ｂ（図６参照）が形成されている。また、下側パネルサイド部２６Ａは、パーチクルボード２２の内側且つ下側へ１８０度に折り返されて、上側パネルサイド部２４Ａの下端部と重なっている。これにより、パネル本体２０には、上側パネル部２４及び下側パネル部２６によって、パーチクルボード２２の面取面２２Ａをパネル本体２０の外部へ露出させるための開口部が形成されている。また、パネル本体２０では、パーチクルボード２２の面取面２２Ａが、上側パネル部２４の面取部２４Ｂ及び下側パネル部２６の面取部２６Ｂよりもパネル本体２０の内部に若干奥まった位置に配置されている（図６参照）。これにより、後述するコーナー部材３０を上側パネル部２４及び下側パネル部２６によって上下に挟み込んで固定することができる構成になっている。
【００２７】
次に、コーナー部材３０について説明する。図５に示されるように、コーナー部材３０は、床パネル１０の四隅の角部を構成しており、４箇所のコーナー部材３０は、同一形状を成している。このため、床パネル１０の左前の角部に配置されたコーナー部材３０を用いて、コーナー部材３０の構成について説明する。
【００２８】
図５〜図１０に示されるように、コーナー部材３０は、繊維強化プラスチック（本実施の形態では、ガラス繊維強化プラスチック）によって構成されている。コーナー部材３０は、上下方向を板厚方向とする略直角三角形板状に形成されている。具体的には、コーナー部材３０の側面が、平面視で左右方向に沿って延在された第１側面３０Ａと、前後方向に沿って延在された第２側面３０Ｂと、第１側面３０Ａの右端部と第２側面３０Ｂの後端部とを接続する傾斜面３０Ｃと、を含んで構成されている。そして、傾斜面３０Ｃが、平面視で、第２方向に沿って延在している。
【００２９】
傾斜面３０Ｃの上下方向中間部には、固定片３０Ｄが形成されている。固定片３０Ｄは、上下方向を板厚方向として、傾斜面３０Ｃから第１方向他方側（図６〜図１０の矢印Ｂ方向側）へ突出されると共に、第２方向に沿って延在されている。この固定片３０Ｄの上面及び下面には、それぞれ複数（本実施の形態では、４箇所）の固定リブ３０Ｅが形成されている。固定リブ３０Ｅは、第２方向に沿って延在されると共に、第１方向において、所定の間隔を空けて並んで配置されている。なお、固定リブ３０Ｅは、第２方向に沿って連続的に延在されているが、固定リブ３０Ｅを第２方向に沿って断続的に延在させるように形成してもよいし、断続的に形成された固定リブ３０Ｅを固定片３０Ｄの上面及び下面にランダム（任意の位置）に配置して、固定片３０Ｄの上面及び下面を粗面に形成してもよい。また、固定リブ３０Ｅは、固定リブ３０Ｅの長手方向から見て、三角形状に形成されている。なお、固定片３０Ｄの先端部における上面及び下面は、固定片３０Ｄの先端側へ向かうに従い、互いに接近するように傾斜している。
【００３０】
そして、固定片３０Ｄが、パーチクルボード２２の固定溝２２Ｂ内に嵌入されて、コーナー部材３０がパーチクルボード２２の四隅に固定されている。これにより、コーナー部材３０が、パーチクルボード２２の面取面２２Ａから第１方向一方側へ突出して、床パネル１０の四隅の角部を構成している。なお、コーナー部材３０のパーチクルボード２２への固定状態では、固定リブ３０Ｅが固定溝２２Ｂの内周面（上面及び下面）に食い込むように、固定片３０Ｄが、パーチクルボード２２の固定溝２２Ｂ内に嵌入されると共に、傾斜面３０Ｃと面取面２２Ａとが、第１方向に隣接して配置されている（図６参照）。
【００３１】
また、コーナー部材３０の外周面における第１方向他方側の部分には、一段下がった段差部３０Ｆが形成されている。そして、コーナー部材３０のパーチクルボード２２への固定状態では、コーナー部材３０における段差部３０Ｆが形成された部分が、パネル本体２０の内部に配置されて、上側パネル部２４及び下側パネル部２６によって覆われている。また、コーナー部材３０のパーチクルボード２２への固定状態では、コーナー部材３０の上面３０Ｇが、パネル本体２０の上面と面一に配置されており、コーナー部材３０の下面３０Ｈが、パネル本体２０の下面と面一に配置されている。さらに、コーナー部材３０の第１側面３０Ａ及び第２側面３０Ｂが、パネル本体２０の側面に面一に配置されている。すなわち、コーナー部材３０の板厚が、床パネル１０の板厚と一致している。
【００３２】
コーナー部材３０の第１方向一方側の端部（床パネル１０の角を構成する部分であり、第１側面３０Ａと第２側面３０Ｂとが交差する部分）には、切欠部３０Ｊが形成されている。切欠部３０Ｊは、平面視で、第１方向一方側へ開放された４分円弧状に形成されている。
【００３３】
また、コーナー部材３０における第１方向一方側部分の上面は、下側へ一段下がった段差状に形成されており、この一段下がった部分が、被支持部３０Ｋとして構成されている。被支持部３０Ｋは、平面視で、切欠部３０Ｊと同心円をなす４分円弧状に形成されている。被支持部３０Ｋの上面には、一対の第１肉逃げ部３０Ｌが形成されている。第１肉逃げ部３０Ｌは、上側へ開放された凹状に形成されると共に、平面視で被支持部３０Ｋの長手方向に並んで配置されている。また、第１肉逃げ部３０Ｌは、平面視で、略矩形状に形成されると共に、被支持部３０Ｋの長手方向に沿って湾曲されている。これにより、被支持部３０Ｋの長手方向中間部には、第１方向に沿った第１補強リブ３０Ｍが形成されている。
【００３４】
また、コーナー部材３０の下面３０Ｈには、第１方向一方側の端部（すなわち、被支持部３０Ｋの縁部）において、下側へ若干突出した突出部３０Ｎが形成されており、突出部３０Ｎは、被支持部３０Ｋの長手方向に沿って延在されている。
【００３５】
ここで、上述のように、フリーアクセスフロアでは、床パネル１０が前後方向及び左右方向に並んで配置される。このため、図３に示されるように、フリーアクセスフロアにおける４枚の床パネル１０の角部の合わせ部には、コーナー部材３０の切欠部３０Ｊによって構成された円形状の孔部が形成される構成になっている（図３では、便宜上、２枚の床パネル１０の角部を合わせた状態を図示している）。また、フリーアクセスフロアにおける４枚の床パネル１０の角部の合わせ部には、コーナー部材３０の被支持部３０Ｋによって構成された、上側へ開放された凹部が形成される構成になっている。そして、フリーアクセスフロアでは、後述する支持脚４０の台座固定部４５が、切欠部３０Ｊによって構成された孔部内に配置され、支持脚４０の固定具４９が、被支持部３０Ｋによって構成された凹部内に配置されるようになっている（図４参照）。
【００３６】
図５〜図１０に示されるように、コーナー部材３０の下面３０Ｈには、被支持部３０Ｋの径方向外側において、一対の第２肉逃げ部３０Ｐが形成されている、第２肉逃げ部３０Ｐは、下側へ開放された凹状に形成されると共に、下面視で第２方向に並んで配置されている。また、第２肉逃げ部３０Ｐは、下面視で略三角形状に形成されている。さらに、コーナー部材３０の下面には、第２肉逃げ部３０Ｐに対して被支持部３０Ｋの径方向外側において、一対の第３肉逃げ部３０Ｒが形成されている、第３肉逃げ部３０Ｒは、下側へ開放された凹状に形成されると共に、下面視で第２方向に並んで配置されている。また、第３肉逃げ部３０Ｒは、下面視で略第２方向に延在された略台形状に形成されている。これにより、コーナー部材３０の第２方向中間部には、第１方向に沿った第２補強リブ３０Ｓが形成されており、第１補強リブ３０Ｍと第２補強リブ３０Ｓとが連続して、第１方向に沿って延在されている。
【００３７】
また、コーナー部材３０の第１側面３０Ａ及び第２側面３０Ｂには、コーナー部材３０の内側へ抉られた、一対の位置決め収容部３０Ｔが形成されている。位置決め収容部３０Ｔは、被支持部３０Ｋの径方向外側に配置されている。そして、位置決め収容部３０Ｔにおける被支持部３０Ｋ側の側面が、位置決め面３０Ｕとして構成されている。
【００３８】
（支持脚４０について）
図３及び図４に示されるように、支持脚４０は、支持ベース４１と、台座４４と、固定具４９と、を含んで構成されている。
【００３９】
支持ベース４１は、支持ベース４１の下端部を構成するベースプレート４２を有している。ベースプレート４２は、上下方向を板厚方向とした略矩形プレート状に形成されて、建物のスラブ上に載置される。ベースプレート４２の中央部には、支柱４３が設けられている。支柱４３は、上下方向を軸方向とした円柱状に形成されており、支柱４３の下端部がベースプレート４２に固定されている。また、支柱４３の外周部には、雄ねじ部が形成されている。
【００４０】
台座４４は、「固定部」としての台座固定部４５と、台座プレート部４７と、を含んで構成されている。台座固定部４５は、上下方向を軸方向とした円筒状に形成されている。台座固定部４５の内周面には、雌ねじ部が形成されており、この雌ねじ部が、支柱４３の雄ねじ部に螺合されている。これにより、上下方向における、台座固定部４５（台座４４）の支持ベース４１に対する相対位置を調整可能に構成されている。また、台座固定部４５の下端部には、固定孔４５Ａが貫通形成されている。固定孔４５Ａの内周面には、雌ねじ部が形成されており、当該雌ねじ部には、固定ボルト４６が螺合されている。そして、台座固定部４５の上下位置を調整して、調整後の位置において、固定ボルト４６の先端部を支柱４３の外周部に締め付けて、台座４４が支柱４３に固定されている。
【００４１】
台座プレート部４７は、上下方向を板厚方向とした矩形プレート状に形成されている。そして、台座プレート部４７の中央部が、台座固定部４５の上端側の部分に固定されて、台座プレート部４７が、台座固定部４５の径方向外側に配置されている。すなわち、台座固定部４５の上端部が、台座プレート部４７よりも上側へ突出している。そして、台座固定部４５の上端部の外周部には、雄ねじ部が形成されている。
【００４２】
台座プレート部４７の上面及び側面は、ゴム等の弾性体によって構成された台座カバー４８によって被覆されている。なお、台座カバー４８の中央部には、台座固定部４５の上端部、及び台座プレート部４７の中央部分を露出させるためのカバー孔部４８Ａが形成されている。さらに、台座カバー４８には、カバー孔部４８Ａの径方向外側において、４箇所の位置決め部４８Ｂが形成されている。位置決め部４８Ｂは、平面視で、台座固定部４５の径方向を長手方向とした略トラック状に形成されて、台座カバー４８から上側へ突出している。また、位置決め部４８Ｂは、台座固定部４５の周方向に等間隔毎に配置されている。具体的には、一対の位置決め部４８Ｂが、左右方向に沿って配置されており、他の一対の位置決め部４８Ｂが、前後方向に沿って配置されている。
【００４３】
そして、床パネル１０によってフリーアクセスフロアを構成するときには、４枚の床パネル１０の角部が、台座カバー４８の上側に載置されるようになっている。具体的には、支持脚４０の台座固定部４５の上端部が、４つコーナー部材３０の切欠部３０Ｊによって形成された孔部の内部に配置される構成になっている。また、床パネル１０を台座カバー４８に配置した状態では、台座カバー４８の位置決め部４８Ｂの一部（詳しくは、位置決め部４８Ｂの長手方向に対して直交する方向の半分）が、各々のコーナー部材３０の位置決め収容部３０Ｔ内に収容される構成になっている。これにより、コーナー部材３０における位置決め収容部３０Ｔの位置決め面３０Ｕが位置決め部４８Ｂに当接することで、床パネル１０の前後方向及び左右方向の移動が制限される構成になっている。
【００４４】
固定具４９は、下側へ開放された略有底円筒状に形成されている。具体的には、固定具４９は、上下方向を板厚方向とした略円板状の頭部４９Ａと、頭部４９Ａの中央部から下側へ延出された略円筒状の固定筒部４９Ｂと、を含んで構成されている。頭部４９Ａの直径が、固定筒部４９Ｂの直径よりも大きく設定されており、頭部４９Ａの外周部が、固定筒部４９Ｂよりも径方向外側へ突出している。固定筒部４９Ｂの内周面には、雌ねじ部が形成されており、当該雌ねじ部が台座固定部４５の雄ねじ部に螺合されている。また、頭部４９Ａが、床パネル１０におけるコーナー部材３０の被支持部３０Ｋの上側に配置されると共に、固定筒部４９Ｂが、コーナー部材３０の切欠部３０Ｊの径方向内側に配置されている。これにより、コーナー部材３０の被支持部３０Ｋが、固定具４９の頭部４９Ａによって締付けられて、コーナー部材３０（即ち、床パネル１０）が支持脚４０に支持固定されている。
【００４５】
また、頭部４９Ａの中央部には、スリット部４９Ｃが上下方向に貫通形成されており、スリット部４９Ｃは、頭部４９Ａの径方向に沿って延在されている。なお、コーナー部材３０の支持脚４０への支持固定状態では、固定具４９の締付力によって、台座カバー４８が上下方向に圧縮変形して、コーナー部材３０の突出部３０Ｎが、台座プレート部４７の上面に当接する構成になっている。
【００４６】
（作用効果）
次に本実施の形態の作用及び効果について説明する。
【００４７】
上記のように構成された床パネル１０を用いてフリーアクセスフロアを形成する場合には、床パネル１０におけるコーナー部材３０の被支持部３０Ｋを、支持脚４０の台座プレート部４７に載置する。具体的には、コーナー部材３０の切欠部３０Ｊを、支持脚４０の台座固定部４５の径方向外側に配置するように、コーナー部材３０の被支持部３０Ｋを、台座プレート部４７の上側に載置する。また、このときには、支持脚４０の位置決め部４８Ｂの一部を、コーナー部材３０の位置決め収容部３０Ｔの内部に収容させる。これにより、コーナー部材３０が、台座プレート部４７における前後及び左右に４分割された部分の上側に配置される。
【００４８】
そして、上記作業を繰り返すことで、床パネル１０を前後方向及び左右方向に並べて、床パネル１０の角部（コーナー部材３０）を支持脚４０の台座プレート部４７の上側に載置する。これにより、床パネル１０を前後及び左右に並べた状態では、支持脚４０の台座固定部４５の上端部が、４つのコーナー部材３０の切欠部３０Ｊによって形成された孔部の内側に配置されて、当該孔部によって露出される。この状態で、固定具４９の固定筒部４９Ｂの雌ねじ部を台座固定部４５の雄ねじ部に螺合させて、固定具４９によってコーナー部材３０の被支持部３０Ｋを締め付ける。これにより、コーナー部材３０が支持脚４０に固定されて、床パネル１０が支持脚４０によって支持される。以上により、床パネル１０を用いたフリーアクセスフロアが形成される。
【００４９】
ここで、床パネル１０は、パネル本体２０を有しており、パネル本体２０は、パーチクルボード２２と、パーチクルボード２２の上面を覆う上側パネル部２４と、パーチクルボード２２の下面を覆う下側パネル部２６と、を含んで構成されている。そして、上側パネル部２４及び下側パネル部２６が、スチール製の板材によって構成されている。また、パーチクルボード２２の四隅には、面取りされた面取面２２Ａが形成されており、コーナー部材３０が、面取面２２Ａに設けられて、面取面２２Ａから第１方向一方側へ突出している。そして、コーナー部材３０が、支持脚４０の台座プレート部４７に載置されて、支持脚４０によって支持固定される。すなわち、床パネル１０では、支持脚４０に固定支持されるコーナー部材３０が、パネル本体２０とは別部材によって構成されている。したがって、床パネル１０の軽量化を図ることができる。
【００５０】
すなわち、本実施の形態の床パネル１０では、上側パネル部２４及び下側パネル部２６のプレス加工時における、コーナー部分の割れや裂け等の成形不良の発生を抑制することができる。これにより、上側パネル部２４及び下側パネル部２６の板厚を薄く設定することができ、ひいては、床パネル１０の軽量化を図ることができる。
【００５１】
また、コーナー部材３０は、繊維強化プラスチックによって構成されている。このため、支持脚４０に固定支持されるコーナー部材３０の機械的強度を確保しつつ、コーナー部材３０の軽量化を図ることができる。したがって、床パネル１０の軽量化を効果的に行うことができる。
【００５２】
また、パーチクルボード２２は、ＪＩＳ  Ａ  ５９０８に規定された１３Ｕタイプのパーチクルボードとして構成されている。すなわち、パーチクルボード２２が、所謂、家具等に用いられるパーチクルボードとして構成されている。このため、例えば、パーチクルボード２２を建材用のパーチクルボードによって構成する場合と比べて、パーチクルボード２２の密度を低くすることができる。これにより、床パネル１０の軽量化に寄与することができる。
【００５３】
また、コーナー部材３０の外周部には、切欠部３０Ｊが形成されている。そして、床パネル１０によってフリーアクセスフロアを構成する場合には、支持脚４０の台座固定部４５が、切欠部３０Ｊの内部に配置され、支持脚４０の固定具４９の雌ねじ部が、台座固定部４５の雄ねじ部に螺合される。これにより、固定具４９を台座固定部４５に螺合させるときには、台座固定部４５が切欠部３０Ｊによって露出されている。このため、支持脚４０によってコーナー部材３０を支持固定するときの作業性を向上することができる。
【００５４】
また、コーナー部材３０の下面には、位置決め収容部３０Ｔが形成されており、コーナー部材３０を支持脚４０の台座プレート部４７に載置するときには、支持脚４０の位置決め部４８Ｂの半分（一部）が、位置決め収容部３０Ｔ内に収容される。このため、他の床パネル１０を台座プレート部４７に載置するときには、位置決め部４８Ｂの他の半分が、露出されている。これにより、位置決め部４８Ｂを視認しつつ、他の床パネル１０のコーナー部材３０を台座プレート部４７上に載置することができる。これにより、床パネル１０を支持脚４０に載置するときの作業性を向上することができる。
【００５５】
また、コーナー部材３０には、傾斜面３０Ｃから第１方向他方側へ突出した固定片３０Ｄが形成されており、固定片３０Ｄの上面及び下面には、第２方向に延在された複数の固定リブ３０Ｅが形成されている。さらに、パーチクルボード２２の面取面２２Ａには、第１方向一方側へ開放された固定溝２２Ｂが形成されている。そして、固定リブ３０Ｅが固定溝２２Ｂの内周面を食い込んだ状態で、固定片３０Ｄが固定溝２２Ｂに嵌入されて、コーナー部材３０がパーチクルボード２２に固定されている。これにより、コーナー部材３０のパーチクルボード２２からの抜けを防止しつつ、簡易な構成でコーナー部材３０をパーチクルボード２２に一体化させることができる。
【００５６】
また、コーナー部材３０の外周面には、段差部３０Ｆが形成されており、コーナー部材３０の段差部３０Ｆが形成された部分が、パネル本体２０の内部に配置されて、上側パネル部２４及び下側パネル部２６によって挟み込まれている。これにより、コーナー部材３０のパーチクルボード２２への固定状態を良好に維持することができる。
【００５７】
（第２の実施の形態）
次に、図１１〜図１５を用いて第２の実施の形態に係る床パネル１００について説明する。床パネル１００は、以下に示す点を除いて第１の実施の形態の床パネル１０と同様に構成されている。なお、図１１〜図１５では、床パネル１０と同様に構成されている部分には、同一の符号を付している。
【００５８】
すなわち、第２の実施の形態の床パネル１００では、床パネル１００の下側に配策された配線等を床パネル１００の上側へ引き出すための開口部１１０Ａが、床パネル１００におけるパネル本体２０の側面に形成されており、開口部１１０Ａは、平面視でパネル本体２０の外方側へ開放された略Ｕ字形状に形成されている（図１１に示される例では、パネル本体２０の前面の左右方向中央部に、前側へ開放された開口部１１０Ａが形成されている）。また、床パネル１００は、パネル本体２０のパーチクルボード２２に固定されたカバー部材１１０を有しており、カバー部材１１０によって開口部１１０Ａが構成されている。以下、床パネル１００の詳細について説明する。
【００５９】
図１３に示されるように、床パネル１００では、パーチクルボード２２の前側の外周部における左右方向中央部に、固定凹部２２Ｃが形成されている。固定凹部２２Ｃは、平面視で前側へ開放された略Ｕ字形状に形成されている。固定凹部２２Ｃの内周面には、上下方向中間部において、後述するカバー部材１１０を固定するためのカバー固定溝２２Ｄが形成されており、カバー固定溝２２Ｄは、固定凹部２２Ｃの周方向に沿って貫通している。
【００６０】
図１２（Ａ）に示されるように、上側パネル部２４には、パーチクルボード２２の固定凹部２２Ｃ（図１２（Ａ）では、不図示）に対応した位置において、上側切欠部２４Ｃが形成されており、上側切欠部２４Ｃは、固定凹部２２Ｃの形状に対応して、平面視で前側へ開放された略Ｕ字形状に形成されている。そして、パーチクルボード２２の固定凹部２２Ｃが、上側切欠部２４Ｃよりもパネル本体２０の内方側へ奥まった位置に配置されており、上側切欠部２４Ｃの部分には、上側パネルサイド部２４Ａが形成されていない。
【００６１】
図１２（Ｂ）に示されるように、下側パネル部２６には、パーチクルボード２２の固定凹部２２Ｃ（図１２（Ｂ）では、不図示）に対応した位置において、下側切欠部２６Ｃが形成されており、下側切欠部２６Ｃは、固定凹部２２Ｃの形状に対応して、平面視で前側へ開放された略Ｕ字形状に形成されている。そして、パーチクルボード２２の固定凹部２２Ｃが、下側切欠部２６Ｃよりもパネル本体２０の内方側へ奥まった位置に配置されており、下側切欠部２６Ｃの部分には、下側パネルサイド部２６Ａが形成されていない。
【００６２】
図１１〜図１５に示されるように、カバー部材１１０は、コーナー部材３０と同様に、繊維強化プラスチック（本実施の形態では、ガラス繊維強化プラスチック）によって構成されている。カバー部材１１０は、上下方向を板厚方向とし且つ前側へ開放された略Ｕ字形ブロック状に形成されている。そして、カバー部材１１０の内周側の側面が、開口部１１０Ａとして構成されている。
【００６３】
カバー部材１１０の外周側の側面には、上下方向中間部において、カバー固定片１１０Ｂが一体に形成されている。カバー固定片１１０Ｂは、上下方向を板厚方向としてカバー部材１１０の周方向に沿って延在されている。すなわち、カバー固定片１１０Ｂは、平面視で、前側へ開放された略Ｕ字形状に形成されて、カバー部材１１０から突出している。
【００６４】
カバー固定片１１０Ｂの上面及び下面には、それぞれ複数（本実施の形態では、４箇所）のカバー固定リブ１１０Ｃが形成されている。カバー固定リブ１１０Ｃは、カバー固定片１１０Ｂの長手方向に沿って延在されると共に、カバー固定片１１０Ｂの突出方向において、所定の間隔を空けて並んで配置されている。なお、カバー固定リブ１１０Ｃは、カバー固定片１１０Ｂの長手方向に沿って連続的に延在されているが、カバー固定リブ１１０Ｃを、カバー固定片１１０Ｂの長手方向に沿って断続的に延在してもよいし、断続的に形成されたカバー固定リブ１１０Ｃをカバー固定片１１０Ｂの上面及び下面にランダム（任意の位置）に配置して、カバー固定片１１０Ｂの上面及び下面を粗面に形成してもよい。また、カバー固定リブ１１０Ｃは、カバー固定リブ１１０Ｃの長手方向から見て、三角形状に形成されている。なお、カバー固定片１１０Ｂの先端部における上面及び下面は、カバー固定片１１０Ｂの先端側へ向かうに従い、互いに接近するように傾斜している。
【００６５】
そして、カバー固定片１１０Ｂが、パーチクルボード２２のカバー固定溝２２Ｄ内に嵌入されて、カバー部材１１０がパーチクルボード２２に固定されている。これにより、カバー部材１１０によって、パーチクルボード２２の固定凹部２２Ｃの内周面が覆われると共に、パネル本体２０の前面に、前側へ開放された開口部１１０Ａが形成されている。なお、カバー部材１１０のパーチクルボード２２への固定状態では、カバー固定リブ１１０Ｃがカバー固定溝２２Ｄの内周面（上面及び下面）に食い込むように、カバー固定片１１０Ｂが、パーチクルボード２２のカバー固定溝２２Ｄ内に嵌入されて、パーチクルボード２２の固定凹部２２Ｃが、カバー部材１１０の外周側の側面によって覆われている。
【００６６】
また、カバー部材１１０のパーチクルボード２２への固定状態では、カバー部材１１０の外周側の部分が、上側パネル部２４及び下側パネル部２６によって上下方向に挟みこまれている。すなわち、カバー部材１１０の外周面には、上側パネル部２４及び下側パネル部２６の板厚分だけ一段下がった段差部１１０Ｄが形成されている。
【００６７】
また、カバー部材１１０の上面には、内周側の部分において、後述するカバープレート１２０を接地するための接地面１１０Ｅが形成されており、接地面１１０Ｅは、カバー部材１１０の上面よりも下側へ一段下がった位置に配置されている。この接地面１１０Ｅには、左右一対の取付孔１１０Ｆが貫通形成されている。取付孔１１０Ｆは、前後方向を長手方向とする略矩形長孔状に形成されて、カバー部材１１０の左右方向中央部に対して左右対称の位置に配置されている。なお、カバー部材１１０の上面には、下側へ開放された複数の肉逃げ部１１０Ｇが形成されている。
【００６８】
図１１〜図１４に示されるように、カバー部材１１０の上側には、カバープレート１２０が設けられている。カバープレート１２０は、上下方向を板厚方向とする略矩形状に形成されて、カバー部材１１０の接地面１１０Ｅ上に接地されている。これにより、カバープレート１２０によってカバー部材１１０の開口部１１０Ａが上側から塞がれるようになっている。さらに、カバープレート１２０の左右の端部には、下側へ屈曲された取付片１２０Ａがそれぞれ形成されている。取付片１２０Ａは、左右方向を板厚方向とした略矩形状に形成されて、カバー部材１１０の取付孔１１０Ｆ内に嵌入されている。
【００６９】
また、カバープレート１２０の後端部には、左右方向中央部において、連通溝１２０Ｂが形成されており、連通溝１２０Ｂは、前後方向に延在されると共に、後側へ開放されている。そして、連通溝１２０Ｂの前端部が、平面視で、開口部１１０Ａと重なって配置されている。これにより、連通溝１２０Ｂによって、開口部１１０Ａの内部と、カバープレート１２０の上側の空間と、が連通されており、床パネル１００の下側に配策された配線等を、開口部１１０Ａ及び連通溝１２０Ｂによって、床パネル１００の上側へ引き出すことができる構成になっている。
【００７０】
そして、第２の実施の形態においても、パーチクルボード２２の四隅には、面取りされた面取面２２Ａが形成されており、コーナー部材３０が、面取面２２Ａに設けられて、面取面２２Ａから第１方向一方側へ突出している。そして、コーナー部材３０が、支持脚４０の台座プレート部４７に載置されて、支持脚４０によって支持固定される。すなわち、床パネル１００においても、支持脚４０に固定支持されるコーナー部材３０が、パネル本体２０とは別部材によって構成されている。したがって、第２の実施の形態においても、第１の実施の形態と同様に、床パネル１００の軽量化を図ることができる。
【００７１】
また、第２の実施の形態では、パーチクルボード２２の固定凹部２２Ｃにカバー部材１１０が設けられており、カバー部材１１０には、床パネル１００の下側に配策された配線等を引き出すための開口部１１０Ａが形成されている。このため、床パネル１００に開口部１１０Ａを形成した場合でも、床パネル１０の軽量化を図ることができる。
【００７２】
すなわち、仮に、床パネル１００においてカバー部材１１０を省略した場合には、前述と同様に、上側パネル部２４又は下側パネル部２６に、カバー部材１１０に対応したもの一体に形成する必要がある。つまり、上側パネル部２４又は下側パネル部２６を、開口部１１０Ａに対応した立体的に形成する必要がある。この場合において、床パネル１００の軽量化を目的として、上側パネル部２４及び下側パネル部２６の板厚を薄く（例えば、０．３ｍｍ以下に）設定すると、前述と同様に、上側パネル部２４又は下側パネル部２６のプレス加工時において、割れや裂け等の成形不良が発生する可能性がある。これにより、床パネル１００においてカバー部材１１０を省略した場合には、上側パネル部２４又は下側パネル部２６の板厚を厚くする必要があり、床パネル１００の軽量化が困難となる。
【００７３】
これに対して、第２の実施の形態の床パネル１００では、上述のように、カバー部材１１０が、パネル本体２０とは別部材によって構成され、カバー部材１１０がパーチクルボード２２の固定凹部２２Ｃに設けられている。このため、パネル本体２０では、上側パネル部２４において、打ち抜き加工によって上側切欠部２４Ｃを形成し、曲げ加工によって上側パネルサイド部２４Ａを形成できる。同様に、下側パネル部２６において、打ち抜き加工によって下側切欠部２６Ｃを形成し、曲げ加工によって下側パネルサイド部２６Ａを形成できる。このため、上側パネル部２４及び下側パネル部２６の板厚を比較的薄く設定しても、上側パネル部２４及び下側パネル部２６のプレス加工時における、割れや裂け等の成形不良の発生を抑制できる。したがって、第２の形態の床パネル１００によれば、床パネル１００に開口部１１０Ａを形成した場合でも、フリーアクセスフロアとしての強度を維持しつつ床パネル１０の軽量化を図ることができる。
【００７４】
なお、第１の実施の形態及び第２の実施の形態では、コーナー部材３０（カバー部材１１０）が、ガラス繊維強化プラスチックによって構成されているが、コーナー部材３０（カバー部材１１０）の材料はこれに限らない。例えば、コーナー部材３０（カバー部材１１０）を炭素繊維強化プラスチックによって構成してもよい。また、コーナー部材３０（カバー部材１１０）を、繊維を含まない樹脂材によって構成してもよい。さらに、コーナー部材３０（カバー部材１１０）をアルミダイキャスト製にしてもよい。
【００７５】
また、第１の実施の形態では、コーナー部材３０の固定片３０Ｄが、パーチクルボード２２の固定溝２２Ｂ内に嵌入されて、コーナー部材３０がパーチクルボード２２に固定されているが、コーナー部材３０の固定方法はこれに限らない。例えば、コーナー部材３０に固定溝を形成し、パーチクルボード２２に当該固定溝に嵌入される固定片を形成してもよい。また、第２の実施の形態におけるカバー部材１１０の固定方法においても、カバー部材１１０に固定溝を形成し、パーチクルボード２２に当該固定溝に嵌入される固定片を形成してもよい。
【００７６】
また、第１の実施の形態では、コーナー部材３０の固定片３０Ｄが、第２方向に連続的に延在されているが、固定片３０Ｄを第２方向において、断続的に延在するように構成してもよい。また、第２の実施の形態においても、カバー部材１１０のカバー固定片１１０Ｂをカバー部材１１０の周方向に沿って断続的に延在するように構成してもよい。
【００７７】
また、第１の実施の形態及び第２の実施の形態では、コーナー部材３０（カバー部材１１０）の固定リブ３０Ｅ（カバー固定リブ１１０Ｃ）が三角形状に形成されているが、固定リブ３０Ｅ（カバー固定リブ１１０Ｃ）の形状はこれに限らない。例えば、固定リブ３０Ｅ（カバー固定リブ１１０Ｃ）を、略楔形状に形成して、パーチクルボード２２の固定溝２２Ｂ（カバー固定溝２２Ｄ）の内周面に食い込むように構成してもよい。
【００７８】
また、第１の実施の形態では、コーナー部材３０の固定片３０Ｄが、パーチクルボード２２の固定溝２２Ｂ内に嵌入されてコーナー部材３０がパーチクルボード２２に一体化されているが、例えば、アウトサート成形等によって、コーナー部材３０をパネル本体２０に一体化してもよい。また、第２の実施の形態においても、例えば、アウトサート成形等によって、カバー部材１１０をパネル本体２０に一体化してもよい。
【符号の説明】
【００７９】
１０          床パネル
２２          パーチクルボード
２２Ａ        面取面
２２Ｂ        固定溝
２４          上側パネル部
２６          下側パネル部
３０          コーナー部材
３０Ｄ        固定片
３０Ｅ        固定リブ
３０Ｊ        切欠部
３０Ｔ        位置決め収容部
４０          支持脚
４５          台座固定部（固定部）
１００        パーチクルボード
【図１】
2020186586.tif 000003
【図２】
2020186586.tif 000004
【図３】
2020186586.tif 000005
【図４】
2020186586.tif 000006
【図５】
2020186586.tif 000007
【図６】
2020186586.tif 000008
【図７】
2020186586.tif 000009
【図８】
2020186586.tif 000010
【図９】
2020186586.tif 000011
【図１０】
2020186586.tif 000012
【図１１】
2020186586.tif 000013
【図１２】
2020186586.tif 000014
【図１３】
2020186586.tif 000015
【図１４】
2020186586.tif 000016
【図１５】
2020186586.tif 000017